(57)【要約】【課題】手足の指等、小面積の部位に対して脱毛を行うのに適した脱毛シートを提供する。【解決手段】支持シート３表面に脱毛用粘着層２が形成され、さらにその上に、上記支持シート３と同形状の剥離紙１が、その周縁部を支持シート３の周縁部に揃えた状態で重ねられている脱毛シートであって、上記支持シート３が、幅１０〜３０ｍｍの帯状に形成されており、上記脱毛用粘着層２が、上記支持シート３表面の少なくとも長手方向両端部には形成されておらず、長手方向中央部にのみ形成されている。【選択図】図１
2004305310.tif 000002
【特許請求の範囲】
【請求項１】
支持シート表面に脱毛用粘着層が形成され、さらにその上に、上記支持シートと同形状の剥離紙が、その周縁部を支持シートの周縁部に揃えた状態で重ねられている脱毛シートであって、全体が、幅１０〜３０ｍｍの帯状に形成されており、上記脱毛用粘着層が、上記支持シート表面の少なくとも長手方向両端部には形成されておらず、長手方向中央部にのみ形成されていることを特徴とする脱毛シート。
【請求項２】
上記脱毛用粘着層が、上記支持シート表面の長手方向、幅方向のどちらの両端部にも形成されていない請求項１記載の脱毛シート。
【請求項３】
上記脱毛シートの長さが、３０〜８０ｍｍに設定されている請求項１または２記載の脱毛シート。
【請求項４】
上記脱毛シートの長手方向両端部のうち、少なくとも片方の端縁部が、円弧状に形成されている請求項１〜３のいずれか一項に記載の脱毛シート。
【請求項５】
手の指もしくは足の指の脱毛に用いられるものである請求項１〜４のいずれか一項に記載の脱毛シート。
【発明の詳細な説明】
【０００１】
【発明の属する技術分野】
本発明は、美容上や衛生上の理由から体毛を除去するのに用いられる脱毛シートに関するものである。
【０００２】
【従来の技術】
従来から、美容のために体毛を除去したり、傷の周囲を清浄に保つために手術前や治療時に体毛を除去したりすることが行われている。このような体毛の除去方法としては、例えば、ゼリータイプやクリームタイプの脱毛剤を肌に塗布し、体毛を溶かして除去する方法や、加熱して溶かしたワックスを肌に塗布して硬化させ、体毛ごと剥がして除去する方法等がよく知られている。
【０００３】
また、最近では、片面に粘着層が形成された脱毛シートや脱毛テープを肌に貼り付け、これを体毛ごと剥がす方法もよく行われている。この方法は、作業が簡単で手が汚れることもないので、需要が高まっており、さまざまな脱毛シート、脱毛テープが出回っている（特許文献１，２参照）。
【０００４】
【特許文献１】
特開２００１−５４４２２号公報
【特許文献２】
特開２００１−２１８６１８号公報
【０００５】
【発明が解決しようとする課題】
しかしながら、これらの脱毛シート、脱毛テープは、できるだけ一度にたくさんの面積の体毛を除去できるよう、１回の使用面積が手のひら程度の大きさに設定されているものが多い。このため、手足の指の一関節分といった、ごく限られた小面積の部位を対象として脱毛を行うには、市販の脱毛シート等を小さく切って用いなければならず、煩雑な手間を要するという問題がある。
【０００６】
本発明は、このような事情に鑑みなされたもので、手足の指等、小面積の部位に対して脱毛を行うのに適した脱毛シートの提供をその目的とする。
【０００７】
【課題を解決するための手段】
上記の目的を達成するため、本発明は、支持シート表面に脱毛用粘着層が形成され、さらにその上に、上記支持シートと同形状の剥離紙が、その周縁部を支持シートの周縁部に揃えた状態で重ねられている脱毛シートであって、全体が、幅１０〜３０ｍｍの帯状に形成されており、上記脱毛用粘着層が、上記支持シート表面の少なくとも長手方向両端部には形成されておらず、長手方向中央部にのみ形成されている脱毛シートを第１の要旨とする。
【０００８】
また、本発明は、上記脱毛シートのなかでも、特に、上記脱毛用粘着層が、上記支持シート表面の長手方向、幅方向のどちらの両端部にも形成されていない脱毛シートを第２の要旨とし、上記脱毛シートの長さが、３０〜８０ｍｍに設定されている脱毛シートを第３の要旨とする。
【０００９】
さらに、本発明は、それらのなかでも、特に、上記脱毛シートの長手方向両端部のうち、少なくとも片方の端縁部が、円弧状に形成されている脱毛シートを第４の要旨とし、手の指もしくは足の指の脱毛に用いられるものである脱毛シートを第５の要旨とする。
【００１０】
【発明の実施の形態】
つぎに、本発明の実施の形態について説明する。
【００１１】
図１は、本発明の一実施の形態を示している。この脱毛シートは、互いに折り目を介してつながった６枚分の剥離紙１と、脱毛用粘着層２が形成された６枚の支持シート３とで構成されている。上記支持シート３は、互いに切り離されており、鎖線で示すように、１枚ずつ、脱毛用粘着層２ごと剥離紙１から剥がすことができるようになっている。
【００１２】
上記脱毛シートは、幅Ｗが２２ｍｍ、長さＬが４５ｍｍの帯状で、その長手方向片方の端縁部３ａが、半円の円弧状に形成されている。そして、支持シート３と剥離紙１（脱毛シート１枚相当分）とは同一形状に形成されているのに対し、支持シート３の表面（図１では支持シート３の下面）に形成される脱毛用粘着層２は、支持シート３の長手方向および幅方向のどちらの両端部にも形成されておらず、長手方向中央部に部分的に形成されている。
【００１３】
なお、上記脱毛用粘着層２の平面視寸法は、幅１６ｍｍ、長さ２０ｍｍで、支持シート３の長手方向において、図１のＡ−Ａ′断面図（部分）である図２に示すように、直線に形成された方の端縁から上記脱毛用粘着層２の端縁までの距離ｐが１０ｍｍ、脱毛用粘着層２のもう一方の端縁から支持シート３の円弧状端縁部３ａまでの距離ｑが１５ｍｍとなるような配置になっている。また、上記支持シート３の幅方向において、支持シート３の幅方向端縁から脱毛用粘着層２の端縁までの距離Ｒ（図１に戻る）はそれぞれ３ｍｍになっている。
【００１４】
この構成によれば、脱毛シートの長手方向および幅方向の両端部では、支持シート３と剥離紙１とが、互いに離れた状態になっているため、例えば、図３に示すように、剥離紙１を、折り目Ｔ（図１参照）で山折りして、支持シート３の端縁部を手指でひっぱることにより、脱毛用粘着層２付支持シート３を剥離紙１から簡単に剥がすことができるようになっている。
【００１５】
したがって、この支持シート３の脱毛用粘着層２を、図４に示すように、指の、毛を除去したい部分に貼り付け、充分に押圧したのち、支持シート３の円弧状端縁部３ａを他方の手指でひっぱって剥がすことにより、脱毛用粘着層２に指の毛を引っつけて除去することができる。
【００１６】
このように、上記脱毛シートは、手や足の指のように、ごく小さい部分の脱毛を行うのに、貼ったり剥がしたりする動作がしやすく、脱毛効果にも優れているという利点を有する。
【００１７】
なお、上記支持シート３の材質は、ポリエステル、ポリエチレン、ポリプロピレン、綿、クレープ原紙等を用いることが好適であり、その厚みは、シートが柔軟であれば、特に限定するものではない。そして、支持シート３は、透明もしくは半透明にすると、除毛部分に貼り付けるときに位置決めしやすいため、好適である。
【００１８】
そして、上記支持シート３の表面に形成される脱毛用粘着層２は、ゴム系粘着剤組成物等を用いて形成することが好適であり、その厚みは、８〜１８μｍに設定することが好適である。上記脱毛用粘着層２も、支持シート３と同様の理由で、透明もしくは半透明にすることが好適である。
【００１９】
一方、上記脱毛用粘着層２を覆う剥離紙１としては、従来から用いられているどのようなものであっても差し支えない。例えば、上質ポリラミシリコン紙等があげられる。
【００２０】
なお、上記脱毛シートは、全体を帯状に設定しているが、その幅Ｗは、上記の例に限らず、１０〜３０ｍｍの範囲内で、適宜に設定することができる。すなわち、幅Ｗが３０ｍｍを超えると、極小部位の脱毛に用いるための利便性に乏しくなり、逆に、幅Ｗが１０ｍｍより小さいと、いかに脱毛用粘着層２の粘着力を高めても、肌に対する充分な粘着力が得られず、脱毛効果が得られにくいからである。
【００２１】
そして、上記脱毛シートの長さＬは、特に限定するものではなく、例えばテープ状に引き出して、その都度ちぎって（あるいは切断して）用いるようにしてもよい。ただし、上記の例のように剥離紙１は一続きで、脱毛用粘着層２付の支持シート３が１枚ずつ分かれたものにしたり、完全に１枚ずつ分かれたものにする場合、その長さは、３０〜８０ｍｍの範囲内に設定することが、取り扱いやすさの点で、好適である。
【００２２】
また、上記の例では、脱毛シートの長手方向片方の端縁部３ａを円弧状にしたが、これは、支持シート３を肌に貼って剥がすときに、この部分を持つことにより剥がしやすくしたものであるが、必ずしも円弧状にする必要はなく、支持シート３の少なくとも長手方向両端部に、脱毛用粘着層２が形成されておらずその部分が剥離紙１から浮いた状態になっていればよい。
【００２３】
そして、上記支持シート３において、少なくとも長手方向両端部の脱毛用粘着層２が形成されていない部分の寸法ｐ，ｑ（図２参照）は、ともに少なくとも２ｍｍ、なかでも５〜２０ｍｍに設定することが好適である。２ｍｍより小さいと、指でつまんで剥がす動作を行いにくいからである。
【００２４】
また、上記の例では、支持シート３の長手方向両端部のみならず、幅方向両端部においても、脱毛用粘着層２の未形成部を設けているが、これは必ずしも必要ではない。ただし、上記の例のように、幅方向両端部にも、脱毛用粘着層２の未形成部を設けておく方が、上記の例のように幅方向に列状に複数枚の脱毛シートを連続的に設けた場合に、脱毛シートを１枚ずつ剥がすとき隣の剥離紙１にくっついたりすることがなく、好適である。
【００２５】
さらに、上記の例では、６枚の脱毛シートを、剥離紙１を一続きとすることで、幅方向に３枚、長手方向に２枚連ねて連結したが、例えば、図５（ａ）に示すように、幅方向に複数枚連結しただけの構造であってもよい。また、図５（ｂ）に示すように、長手方向に２枚連結しただけの構造であってもよい。この場合、脱毛シートの片方の端縁部３ａを円弧状ではなく直線にすれば、脱毛シートを３枚以上長く連結することができる。そして、連結枚数が多い場合には、支持シート３の切れ目部分を折り目にして折り畳むことによりコンパクトにすることができ、保管や携帯に便利である。
【００２６】
さらに、脱毛シートを、１枚ずつ完全に分離した構成にしてもよい。その場合、図６（ａ）に示すように、長手方向の両端縁部をどちらも円弧状にすると、見栄えがよいだけでなく、また使用時に、円弧状端縁部３ａをもって剥がす動作を、どちらの側からもできるため、好適である。もちろん、図６（ｂ）に示すように、両端縁部を直線にしても差し支えはない。
【００２７】
【発明の効果】
以上のように、本発明の脱毛シートは、全体が帯状で、その幅が一定の範囲に限定されており、しかもその長手方向両端部において、剥離紙と支持シートとが互いに離れた構成になっているため、手や足の指のように、ごく小さい部分の脱毛を行うのに、貼ったり剥がしたりする動作がしやすく、脱毛効果にも優れているという利点を有する。
【図面の簡単な説明】
【図１】本発明の一実施例を示す斜視図である。
【図２】上記図１のＡ−Ａ′部分断面図である。
【図３】上記実施例の使用態様の説明図である。
【図４】上記実施例の使用態様の説明図である。
【図５】（ａ）、（ｂ）はともに上記実施例の他の連結態様を示す説明図である。
【図６】（ａ）、（ｂ）はともに本発明の他の実施例を示す説明図である。
【符号の説明】
１  剥離紙
２  脱毛用粘着層
３  支持シート
【図１】
2004305310.tif 000003
【図２】
2004305310.tif 000004
【図３】
2004305310.tif 000005
【図４】
2004305310.tif 000006
【図５】
2004305310.tif 000007
【図６】
2004305310.tif 000008